(57)【特許請求の範囲】
【請求項１】
ガラス板誘導装置において、
ガラス板が沿って移動するように構成された運搬経路に隣接して延在する誘導部材と、
前記運搬経路に対して配置された、前記誘導部材の第１の端部を支持する第１の保持構造と、
前記第１の保持構造から離間して、前記運搬経路に対して配置された第２の保持構造であって、前記誘導部材の反対の第２の端部を支持する調整装置を備え、前記調整装置が、前記第１の保持構造と前記第２の保持構造との間に延在する前記誘導部材の長さを選択的に調整するように構成されている、第２の保持構造と、
を備えることを特徴とする、ガラス板誘導装置。
【請求項２】
前記誘導部材が、前記ガラス板の形状に実質的に一致するように適合可能であることを特徴とする、請求項１に記載のガラス板誘導装置。
【請求項３】
前記第１の保持構造及び前記第２の保持構造の少なくとも一方が、調整スライドを備え、前記調整スライドが、前記誘導部材を少なくとも１つの軸に沿って移動させるように構成されていることを特徴とする、請求項１に記載のガラス板誘導装置。
【請求項４】
ガラス板を誘導する方法であって、
誘導部材の第１の端部を支持する第１の保持構造を用意するステップと、
前記第１の保持構造から離間した、前記誘導部材の反対の第２の端部を支持する調整装置を備える第２の保持構造を用意するステップであって、前記誘導部材が、前記ガラス板が沿って移動する運搬経路に隣接して延在するものである、ステップと、
前記調整装置を用いて、前記ガラス板の厚さに基づいて前記第１の保持構造と前記第２の保持構造との間に延在する前記誘導部材の長さを変更することによって前記誘導部材の前記長さを調整するステップと、
前記ガラス板を前記運搬経路に沿って移動させるステップと、
を含むことを特徴とする、方法。
【請求項５】
ガラス板を誘導するステップを含む、前記ガラス板を製造する方法であって、前記ガラス板を誘導するステップが、
運搬経路に隣接して延在する誘導部材を用意するステップと、
前記誘導部材の第１の部分を支持する第１の保持構造を用意するステップと、
前記誘導部材の長さが、前記運搬経路に隣接した前記第１の保持構造と第２の保持構造との間に跨るように、前記誘導部材の第２の部分を支持する前記第２の保持構造を用意するステップと、
前記誘導部材及び前記ガラス板を前記運搬経路の共通の方向に移動させるステップであって、前記誘導部材の前記長さが、前記ガラス板を前記運搬経路に沿って誘導するものである、ステップと、
を含むことを特徴とする、方法。
【発明の詳細な説明】
【関連出願の相互参照】
【０００１】
本出願は、米国特許法第１２０条の下、参照によりその全開示内容が本明細書に組み入れられる２０１２年８月３０日出願の米国特許出願第１３／５９８，８４４号明細書の優先権を主張するものである。
【技術分野】
【０００２】
本発明は、ガラス板を誘導する装置及び方法に関し、詳細には、ガラス板を誘導するステップを含むガラス板を製造する方法に関する。
【背景技術】
【０００３】
ディスプレイ装置の製造に使用されるガラス板を誘導する板誘導装置が知られている。例えば、Ｂｒａｃｋｌｅｙらによる特許文献１に、引張部材によって張った状態に維持することができる誘導部材を含むガラス板誘導システムが開示されている。
【先行技術文献】
【特許文献】
【０００４】
【特許文献１】米国特許第７，７１７，２５４号明細書
【発明の概要】
【課題を解決するための手段】
【０００５】
以下の記載は、詳細な説明で説明されるいくつかの態様の例の基本的な理解が得られるように本開示の簡単な概要を説明する。
【０００６】
態様の一例では、ガラス板誘導装置は、ガラス板が沿って移動するように構成された運搬経路に隣接して延在する誘導部材を備える。第１の保持構造が、運搬経路に対して配置される。第１の保持構造は、誘導部材の第１の端部を支持する。第２の保持構造が、第１の保持構造から離間して、運搬経路に対して配置される。第２の保持構造は、誘導部材の反対の第２の端部を支持する調整装置を備える。調整装置は、第１の保持構造と第２の保持構造との間に延在する誘導部材の長さを選択的に調整するように構成されている。
【０００７】
態様の一例では、誘導部材はワイヤを含む。
【０００８】
態様の別の例では、誘導部材は、ガラス板の形状に実質的に一致するように適合可能である。
【０００９】
態様のさらに別の例では、第１の保持構造及び第２の保持構造の少なくとも一方は、調整スライドを備え、この調整スライドは、誘導部材を少なくとも１つの軸に沿って移動させるように構成されている。
【００１０】
態様のなお別の例では、延長構造が、第２の保持構造に取り外し可能に取り付けられる。
【００１１】
態様のさらなる一例では、延長構造は、運搬経路に隣接して延在し、かつこの運搬経路に沿って延在するように構成された第２の誘導部材を支持する。
【００１２】
態様のなお別の例では、延長構造は、第２の誘導部材の第１の端部に取り付けられた引張部材を備える。
【００１３】
態様のさらなる一例では、延長構造は、第２の誘導部材の反対の第２の端部に取り付けられた調整装置を備え、この調整装置は、引張部材と調整装置との間に延在する第２の誘導部材の長さを選択的に調整するように構成されている。
【００１４】
態様のなおさらなる一例では、第１の保持構造は、一対の第１の保持構造を備え、この第１の保持構造はそれぞれ、運搬経路の両側に配置される。
【００１５】
態様のなおさらなる一例では、第２の保持構造は、一対の第２の保持構造を備え、この第２の保持構造はそれぞれ、運搬経路の両側に配置される。
【００１６】
態様の別の例では、ガラス板を誘導する方法は、誘導部材の第１の端部を支持する第１の保持構造を用意するステップを含む。この方法は、第１の保持構造から離間した、誘導部材の反対の第２の端部を支持する調整装置を有する第２の保持構造を用意するステップをさらに含む。誘導部材は、ガラス板が沿って移動する運搬経路に隣接して延在する。この方法は、調整装置を用いて、ガラス板の厚さに基づいて第１の保持構造と第２の保持構造との間に延在する誘導部材の長さを変更することによって誘導部材の長さを調整するステップをさらに含む。この方法は、ガラス板を運搬経路に沿って移動させるステップをさらに含む。
【００１７】
態様の一例では、この方法は、延長構造を第２の保持構造に取り付けるステップを含み、この延長構造は、運搬経路に対して配置される。
【００１８】
態様の別の例では、この方法は、第２の誘導部材が、ガラス板が沿って移動する運搬経路に隣接して延在するように、この第２の誘導部材を延長構造で支持するステップを含む。
【００１９】
態様のなお別の例では、この方法は、第２の誘導部材の長さをガラス板の厚さに基づいて調整するステップを含む。
【００２０】
態様のなお別の例では、誘導部材はワイヤを含む。
【００２１】
態様のなお別の例では、ガラス板を製造する方法は、ガラス板を誘導するステップを含む。ガラス板を誘導するステップは、運搬経路に隣接して延在する誘導部材を用意するステップを含む。ガラス板を誘導するステップは、誘導部材の第１の部分を支持する第１の保持構造を用意するステップをさらに含む。ガラス板を誘導するステップは、誘導部材の長さが、運搬経路に隣接した第１の保持構造と第２の保持構造との間に跨るように誘導部材の第２の部分を支持する第２の保持構造を用意するステップをなおさらに含む。ガラス板を誘導するステップは、誘導部材の長さ及びガラス板を運搬経路の共通の方向に移動させるステップであって、この誘導部材の長さが、ガラス板を運搬経路に沿って誘導する、ステップをさらに含む。
【００２２】
態様の一例では、誘導部材の長さ及びガラス板の両方が、運搬経路の共通の方向に沿って実質的に同じ速度で移動する。
【００２３】
態様の別の例では、誘導部材は、第１及び第２の保持構造の周りのループ経路を移動する無端誘導部材を備える。
【００２４】
態様のなお別の例では、誘導部材は、その長さが運搬経路の共通の方向に沿って移動するときに第１の保持構造から巻き戻され、第２の保持構造に巻き付けられる。
【００２５】
態様のなお別の例では、誘導部材の長さが、ガラス板の形状に適合して実質的に一致する。
【００２６】
これらの態様及び他の態様は、添付の図面を参照して以下の詳細な説明を読めばより良く理解される。
【図面の簡単な説明】
【００２７】
【図１】本開示の一態様に従ったガラス製造装置のガラス板誘導装置の例の斜視図である。
【図２】第１の保持構造及び第２の保持構造を有するガラス板誘導装置の例の平面図である。
【図３】一態様に従ったガラス製造装置のガラス板誘導装置の第２の例の斜視図である。
【図４】ガラス板誘導装置の第２の例の延長構造の前方斜視図である。
【図５】ガラス板誘導装置の第２の例の延長構造の後方斜視図を例示している。
【図６】ガラス板誘導装置の第２の例の平面図を例示している。
【図７】ガラス製造装置のガラス板誘導装置の第３の例の平面図を例示している。
【図８】ガラス製造装置のガラス板誘導装置の第４の例の平面図を例示している。
【図９】ガラス板誘導装置の誘導部材を調整する方法のステップを例示している。
【図１０】ガラス板誘導装置の誘導部材を張る方法のステップを例示している。
【図１１】ガラス板誘導装置の誘導部材に対してガラス板を移動させる方法のステップを例示している。
【発明を実施するための形態】
【００２８】
ここで、実施形態の例が示されている添付の図面を参照して例をより詳細に以下に説明する。全ての図面において、同じ又は同様の部品にはできる限り同じ参照符号が使用される。しかしながら、態様は、様々な形態で実施することができ、本明細書で説明される実施形態に限定されると解釈されるべきではない。
【００２９】
図１は、開示の態様の例を含むガラス製造装置のガラス板誘導装置１００の斜視図を例示している。ガラス製造装置は、ガラス板を製造するために設けることができ、本開示の様々な例のガラス板誘導装置は、ガラス板を製造する方法の際にガラス板の誘導を容易にすることができる。ガラス板誘導装置１００は、様々な設計、サイズ、形状、及び／又はガラス板１０２を運搬経路１０３に沿って誘導するように設計された機能的特徴を含む様々な構造を備え得る。ガラス板１０２は、高さ１０６、幅１０８、及び厚さ１１０（図２に図示）を有し得る。本開示の装置は、様々な厚さに使用することができ、約０．１〜約０．７ｍｍの範囲、例えば、約０．３ｍｍの比較的薄いガラス板の運搬に対応することができる。ガラス板１０２は、様々な種類のガラス板、例えば、ディスプレイの製造で使用されるガラス板、ＬＣＤなどを含み得る。従って、図１に示されているガラス板１０２は、様々なサイズ及び形状を有し、さらなる例では、図示されているものよりも大きくても小さくても良く、かつ／又は、例えば、曲がり部、湾曲部などを有することによって非平面形状を有しても良い。
【００３０】
ガラス板誘導装置１００は、ガラス板１０２の各側に配置される１つ以上の保持構造を備え得る。例えば、ガラス板誘導装置１００は、第１の保持構造１１２及び第２の保持構造１１４を備え得る。第１の保持構造１１２及び第２の保持構造１１４は、ガラス板１０２の一側に配設することができる。さらなる例では、図１に示されているように、保持構造は、ガラス板１０２の両側に配置することができる。以下にさらに詳細に説明されるように、保持構造は、ガラス板１０２を運搬経路１０３に沿って誘導するように機能し得る。
【００３１】
図２を参照すると、ガラス板誘導装置１００の平面図が示されている。この例では、第１の保持構造１１２及び第２の保持構造１１４は、ガラス板１０２の一側に配置されて示されている。保持構造は、ガラス板１０２の第１の側１０４のみに配置されて示されているが、さらなる例では、保持構造は、ガラス板の第１の側１０４及び反対の第２の側１０５の両方に配置することができる。このような一例では、ガラス板１０２の第２の側１０５に配置された保持構造は、図示されているように、第１の側１０４に配置された保持構造と同様又は同一とすることができる。
【００３２】
ガラス板誘導装置１００は、第１の保持構造１１２と第２の保持構造１１４との間に延在する誘導部材１１５を備え得る。誘導部材１１５は、ガラス板１０２が沿って移動する運搬経路１０３に隣接して延在し得る。誘導部材１１５は、第１の保持構造１１２によって第１の端部１１６で支持し、かつ第２の保持構造１１４によって反対の第２の端部１１７で支持することができる。誘導部材１１５は、運搬経路１０３に当接してガラス板１０２を誘導することができる様々な構造を含み得る。例えば、誘導部材１１５は、ワイヤ、ケーブルなどを含み得る。
【００３３】
誘導部材１１５は、ガラス板１０２との比較的小さい接触領域を有し得る。誘導部材１１５は、特定の適用例によって様々な材料を含むことができ、金属又は非金属材料、例えば、ステンレス鋼などを含み得る。さらなる例では、誘導部材１１５は、比較的高温の適用例に使用される耐熱材料を含み得る。同様に、誘導部材１１５は、この誘導部材１１５とガラス板１０２との間の摩擦を増加又は減少させるために１つ以上のコーティングを備え得る。誘導部材１１５は、様々な断面形状、例えば、円形、卵形、正方形などを有し得る。
【００３４】
誘導部材１１５は、ガラス板１０２の形状に実質的に一致するように適合可能である。図１及び図２に示されているように、ガラス板１０２は、実質的に平面であるとして示されている。これに加えて、又は別法では、ガラス板１０２は、曲がり部、湾曲部、曲線部、又は他の平面形状を有し得る。従って、ガラス板１０２は、運搬経路１０３に沿って移動するときに誘導部材１１５に接触し得る。誘導部材１１５は、ガラス板１０２を誘導するときにやや変形して、ガラス板１０２を運搬経路１０３内に維持することができる。具体的には、誘導部材１１５は、ガラス板１０２の形状に一致するようにやや変形することができる。
【００３５】
ここで、第１の保持構造１１２をより詳細に説明する。第１の保持構造１１２は、第１の支持構造１１９に取り付けることができる。第１の支持構造１１９は、垂直方向に延在する概ね細長いレールを含む。しかしながら、第１の支持構造１１９は、垂直方向に延在することに限定されるものではなく、水平方向に沿って延在しても良いし、又は水平でも垂直でもない他の方向に延在しても良い。同様に、第１の支持構造１１９は、図示されているように細長いレール構造に限定されるものではなく、第１の保持構造１１２を支持できる様々な構造を含み得る。第１の支持構造１１９は、スタンドアロン構造として示されているが、このような構造に限定されるものではない。実際、さらなる例では、第１の支持構造１１９は、限定されるものではないが、移動アンビル装置、垂直ビーズスコアなどを含む、ガラス製造に関わる様々な構造又は装置にその一部として取り付ける、かつ／又は含めることができる。従って、第１の支持構造１１９は、第１の保持構造１１２を取り付けることができる１つの可能な構造のみを含む。
【００３６】
第１の保持構造１１２は、第１の調整スライド１２０をさらに備え得る。第１の調整スライド１２０は、第１の支持構造１１９に取り付けることができる。第１の調整スライド１２０は、垂直方向において第１の支持構造１１９に対して概ね平行に延在し得る。具体的には、第１の調整スライド１２０は、ガラス板１０２の平面に概ね平行、かつ運搬経路１０３に直交する方向に沿って延在し得る。第１の調整スライド１２０は、この第１の調整スライド１２０が概ね垂直方向（例えば、上下）に延在するように、第１の支持構造１１９に固着することができる。しかしながら、第１の調整スライド１２０は、この向きに限定されるものではないことを理解されたい。さらなる例では、第１の調整スライド１２０は、この第１の調整スライド１２０が第１の支持構造１１９に対して非平行となるように、第１の支持構造１１９に対して一定の角度で取り付けることができる。
【００３７】
第１の保持構造１１２は、位置決め構造１２１をさらに備え得る。位置決め構造１２１は、第１の調整スライド１２０に移動可能に取り付けることができる。具体的には、位置決め構造１２１は、第１の調整スライド１２０に沿って平行移動することによって第１の調整スライド１２０に対して移動することができる。この例では、第１の調整スライド１２０が概ね垂直方向に延在するため、位置決め構造１２１は、第１の調整スライド１２０に沿って垂直（例えば、上下）に移動することになる。しかしながら、上記説明されたように、第１の調整スライド１２０は、第１の支持構造１１９に対して一定の角度で取り付けることができるため、位置決め構造１２１は、垂直に移動することに限定されるものではない。従って、第１の支持構造１１９は、運搬経路１０３に対して直交する方向において第１の保持構造１１２を垂直に移動させることができる。第１の支持構造１１９は、例えば、ガラス板１０２の様々なサイズ（例えば、高さ１０６）を調整するために移動させることができる。
【００３８】
位置決め構造１２１は、第１のロック機構１２２をさらに備え得る。第１のロック機構１２２は、位置決め構造１２１に取り付けることができ、位置決め構造１２１の第１の調整スライド１２０に対する選択的な移動を可能にすることができる。具体的には、第１のロック機構１２２は、ロック構造などと同様に機能することができ、従って、第１のロック機構１２２は、位置決め構造１２１を第１の調整スライド１２０に対して所定の位置に選択的にロックすることができる。第１のロック機構１２２がロック位置に移動すると、位置決め構造１２１は、第１の調整スライド１２０に対する移動が限定される。第１のロック機構１２２は、非ロック位置に選択的に移動させることができ、この位置では、位置決め構造１２１は、第１の調整スライド１２０に対して自由に移動することができる。第１のロック機構１２２は、図２に示されているハンドル状構造に特に限定されるものではなく、さらなる例では、位置決め構造１２１を第１の調整スライド１２０に対して選択的にロックする様々な構造及び／又は装置も含み得る。例えば、第１のロック機構１２２は、ほぼ全ての種類の機械的ファスナ、例えば、ナットとボルト、ねじ接続などを含み得る。
【００３９】
第１の保持構造１１２は、第２の調整スライド１３０をさらに備え得る。第２の調整スライド１３０は、第１の調整スライド１２０と同様又は同一の構造にすることができる。第２の調整スライド１３０は、位置決め構造１２１に取り付けることができる。具体的には、第２の調整スライド１３０は、位置決め構造１２１に移動可能に取り付けることができ、従って、第２の調整スライド１３０は、位置決め構造１２１に対して移動することができる。第２の調整スライド１３０は、概ね長手方向の軸に沿って平行移動することによって移動することができる。
【００４０】
第２の調整スライド１３０は、第１の調整スライド１２０とは異なる方向に沿って延在するように配置することができる。一例では、第２の調整スライド１３０は、水平方向において第１の支持構造１１９に対して直交する方向に延在し得る。具体的には、第２の調整スライド１３０は、ガラス板１０２の平面及び運搬経路１０３に対して概ね直交する方向に沿って延在し得る。従って、この例では、第２の調整スライド１３０は、第１の保持構造１１２を水平方向（例えば、ガラス板１０２に対して向かう方向及び離れる方向）に移動させることができる。しかしながら、第２の調整スライド１３０は、この向きに限定されるものではないことを理解されたい。さらなる例では、第２の調整スライド１３０は、第１の支持構造１１９に対して一定の角度で取り付けることができ、従って、第２の調整スライド１３０は、第１の支持構造１１９に対して一定の角度で（例えば、非水平方向に）移動することができる。
【００４１】
位置決め構造１２１は、第２のロック機構１２４をさらに備え得る。第２のロック機構１２４は、第１のロック機構１２２と同様又は同一とすることができる。具体的には、第２のロック機構１２４は、位置決め構造１２１に取り付けることができ、第２の調整スライド１３０の選択的な移動を可能にすることができる。第２のロック機構１２４は、ロック構造と同様に機能することができ、第２の調整スライド１３０を第１の調整スライド１２０に対して所定の位置に選択的にロックすることができる。例えば、第２のロック機構１２４がロック位置に移動すると、第２の調整スライド１３０は、第１の調整スライド１２０に対する移動が限定される。第２のロック機構１２４は、非ロック位置に選択的に移動することができ、この位置では、第２の調整スライド１３０は、位置決め構造１２１及び第１の調整スライド１２０に対して自由に移動することができる。第２のロック機構１２４は、図２に示されている構造に特に限定されるものではなく、さらなる例では、第２の調整スライド１３０を第１の調整スライド１２０に対して選択的にロックする様々な構造及び／又は装置を含み得る。例えば、第２のロック機構１２４は、ほぼ全ての種類の機械的ファスナ、例えば、ナットとボルト、ねじ接続などを含み得る。
【００４２】
第１及び第２の調整スライド１２０、１３０並びに位置決め構造１２１は、図２に示されている例に特に限定されるものではない。むしろ、第１の保持構造１１２をガラス板１０２に対して調整するための他の構造及び／又は構成も考えられる。例えば、可能な一例では、第１の調整スライド１２０及び第２の調整スライド１３０の位置を逆にすることができる。この例では、第２の調整スライド１３０を第１の支持構造１１９に直接取り付けることができ、第１の調整スライド１２０を第２の調整スライド１３０に取り付けることができる。他の例では、第１の調整スライド１２０及び第２の調整スライド１３０はそれぞれ、概ね垂直な軸及び水平な軸に沿って延在することに限定されるものではない。むしろ、第１の調整スライド１２０及び第２の調整スライド１３０は、実質的にあらゆる方向に沿って延在し得る。なお別の例では、第１の保持構造１１２は、両方の調整スライドを備えるのではなく、代わりに第１の調整スライド１２０及び第２の調整スライド１３０の一方のみを備えても良い。
【００４３】
なお図２を参照すると、第１の保持構造１１２は、第１のガイド構造１４０をさらに備え得る。第１のガイド構造１４０は、第２の調整スライド１３０に取り付けることができる。さらなる例では、第１のガイド構造１４０は、第１の支持構造１１９、第１の調整スライド１２０、又は第２の調整スライド１３０の少なくとも１つに代わりに取り付けることもできる。第１のガイド構造１４０は、様々な方法、例えば、機械的ファスナ（例えば、ナット、ボルト、ねじなど）、溶接、又は接着剤などで取り付けることができる。第１のガイド構造１４０は、誘導部材１１５を支持して誘導するように機能することができ、従って、誘導部材１１５は、運搬経路１０３に隣接して延在するように維持される。第１のガイド構造１４０は、図示されているように、固定（例えば、静止）部材を備え得る。しかしながら、さらなる例では、第１のガイド構造１４０は、可動部材、例えば、ローラ又は円形ローラなども備え得る。第１のガイド構造１４０は、内部に誘導部材１１５を受容することができる整合溝を備え得る。誘導部材１１５は、第１のガイド構造１４０から外側に延出できるように、整合溝よりも広い断面幅を有することができる。
【００４４】
第１の保持構造１１２は、第２のガイド構造１５０をさらに備え得る。第２のガイド構造１５０は、例えば、取り付けアーム１５２を用いて第２の調整スライド１３０に取り付けることができる。取り付けアーム１５２は、図示されている構造に限定されるものではなく、これよりも長くても短くても良い。さらなる例では、第２のガイド構造１５０は、第２の調整スライド１３０に直接取り付けることができるため、取り付けアーム１５２を備えなくても良い。第２のガイド構造１５０は、第１のガイド構造１４０と同様に機能し得る。具体的には、第２のガイド構造１５０は、誘導部材１１５を支持して誘導するように機能し得る。この例では、誘導部材１１５は、第２のガイド構造１５０の周りに少なくとも部分的に巻き付けることができる。第２のガイド構造１５０は、図示されているように、固定（例えば、静止）構造を備え得る。しかしながら、さらなる例では、第２のガイド構造１５０は、可動部材、例えば、ローラ又は円形ローラなどを備え得る。第２のガイド構造１５０は、内部に誘導部材１１５を受容することができる整合溝をさらに備え得る。
【００４５】
第１のガイド構造１４０及び第２のガイド構造１５０はそれぞれ、整合構造１４２を備え得る。整合構造１４２は、誘導部材１１５を第１のガイド構造１４０及び第２のガイド構造１５０に接触した状態に維持することができる。具体的には、整合構造１４２は、誘導部材１１５がガイド構造に接触した状態で整合溝内に維持されるようにすることができる。整合構造１４２は、様々な構造を含むことができ、図２に示されている構造に限定されるものではない。
【００４６】
第１の保持構造１１２は、引張部材１６０をさらに備え得る。引張部材１６０は、第１の端部１６２と第２の端部１６４との間に概ね直線の軸に沿って延在し得る。引張部材１６０は、付勢部材、例えば、ばねを備え得る。引張部材１６０の第２の端部１６４は、第２の調整スライド１３０に取り付けることができる。引張部材１６０の第１の端部１６２は、誘導部材１１５の第１の端部１１６に取り付けることができる。引張部材１６０は、例えば、長さを増減可能にすることによって柔軟性とすることができる。柔軟性にすることにより、引張部材１６０は、誘導部材１１５を張った状態に維持することができ、誘導部材１１５の長さが変化しても、誘導部材１１５を張った状態に維持することができる。さらなる例では、引張部材１６０は、その弾性を調整するために取り外し、かつ／又は交換することができる。引張部材１６０は、第２の端部１６４で第２の調整スライド１３０に取り付けられることに限定されるものではなく、さらなる例では、ほぼ不動の構造又は固定構造に取り付けることができる。
【００４７】
なお図２を参照すると、ガラス板誘導装置１００は、第２の保持構造１１４をさらに備え得る。第２の保持構造１１４は、第２の支持構造１８０に取り付けることができる。第２の支持構造１８０は、その構造及び機能を、上記説明された第１の支持構造１１９と同一とすることができる。例えば、第２の支持構造１８０は、垂直方向に延在する概ね細長いレールを含む。しかしながら、第２の支持構造１８０は、垂直方向に延在することに限定されるものはなく、水平方向に沿って延在しても良いし、又は水平でも垂直でもない他の方向に延在しても良い。同様に、第２の支持構造１８０は、図示されている細長いレールに限定されるものではなく、第２の保持構造１１４を支持できる様々な構造を含み得る。第２の支持構造１８０は、スタンドアロン構造として示されているが、このような構造に限定されるものではない。実際、さらなる例では、第２の支持構造１８０は、限定されるものではないが、移動アンビル装置、垂直ビーズスコアなどを含む、ガラス製造に関わる様々な構造にその一部として取り付ける、かつ／又は含めることができる。従って、第２の支持構造１８０は、第２の保持構造１１４を取り付けることができる可能な構造の一例のみを含む。
【００４８】
第２の保持構造１１４は、第１の調整スライド１８２をさらに備え得る。第１の調整スライド１８２は、その構造及び機能を上記説明された第１の調整スライド１２０と同一とすることができる。例えば、第１の調整スライド１８２は、第２の支持構造１８０に取り付けることができる。第１の調整スライド１８２は、垂直方向において第２の支持構造１８０に対して概ね平行に延在し得る。具体的には、第１の調整スライド１８２は、ガラス板１０２の平面に概ね平行、かつ運搬経路１０３に直交する方向に沿って延在し得る。第１の調整スライド１８２は、この第１の調整スライド１８２が概ね垂直方向（例えば、上下）に延在するように、第２の支持構造１８０に固着することができる。しかしながら、第１の調整スライド１８２は、この向きに限定されるものではないことを理解されたい。さらなる例では、第１の調整スライド１８２は、この第１の調整スライド１８２が第２の支持構造１８０に対して非平行となるように、第２の支持構造１８０に対して一定の角度で取り付けることができる。
【００４９】
第２の保持構造１１４は、位置決め構造１８４をさらに備え得る。位置決め構造１８４は、その構造及び機能を上記説明された位置決め構造１２１と同一とすることができる。例えば、位置決め構造１８４は、第１の調整スライド１８２に移動可能に取り付けることができる。具体的には、位置決め構造１８４は、第１の調整スライド１８２に沿って平行移動することによって第２の支持構造１８０に対して移動することができる。この例では、第１の調整スライド１８２が概ね垂直方向に延在するため、位置決め構造１８４は、第１の調整スライド１８２に沿って概ね垂直（例えば、上下）に移動することになる。しかしながら、上記説明されたように、第１の調整スライド１８２は、第２の支持構造１８０に対して一定の角度で取り付けることができるため、位置決め構造１８４は、垂直に移動することに限定されるものではない。
【００５０】
位置決め構造１８４は、第１のロック機構１８６をさらに備え得る。第１のロック機構１８６は、その構造及び機能を上記説明された第１のロック機構１２２と同一とすることができる。例えば、第１のロック機構１８６は、位置決め構造１８４に取り付けることができ、位置決め構造１８４の第１の調整スライド１８２対する選択的な移動を可能にすることができる。具体的には、第１のロック機構１８６は、ロック構造などと同様に機能することができ、従って、第１のロック機構１８６は、位置決め構造１８４を第１の調整スライド１８２に対して所定の位置に選択的にロックすることができる。第１のロック機構１８６がロック位置に移動すると、位置決め構造１８４は、第１の調整スライド１８２に対する移動が限定される。第１のロック機構１８６は、非ロック位置に選択的に移動させることができ、この位置では、位置決め構造１８４は、第１の調整スライド１８２に対して自由に移動することができる。第１のロック機構１８６は、図２に示されているハンドル状構造に特に限定されるものではなく、さらなる例では、位置決め構造１８４を第１の調整スライド１８２に対して選択的にロックする様々な構造及び／又は装置も含み得る。例えば、第１のロック機構１８６は、ほぼ全ての種類の機械的ファスナ、例えば、ナットとボルト、ねじ接続などを含み得る。
【００５１】
第２の保持構造１１４は、第２の調整スライド１９０をさらに備え得る。第２の調整スライド１９０は、その構造及び機能を上記説明された第２の調整スライド１３０と同一とすることができる。第２の調整スライド１９０は、位置決め構造１８４に取り付けることができる。具体的には、第２の調整スライド１９０は、位置決め構造１８４に移動可能に取り付けることができ、従って、第２の調整スライド１９０は、位置決め構造１８４に対して移動することができる。第２の調整スライド１９０は、概ね長手方向の軸に沿って平行移動することによって移動することができる。
【００５２】
第２の調整スライド１９０は、第１の調整スライド１８２とは異なる方向に沿って延在するように配置することができる。一例では、第２の調整スライド１９０は、水平方向において第２の支持構造１８０に対して直交する方向に延在し得る。具体的には、第２の調整スライド１９０は、ガラス板１０２の平面及び運搬経路１０３に対して概ね直交する方向に沿って延在し得る。従って、この例では、第２の調整スライド１９０は、第２の保持構造１１４を水平方向（例えば、ガラス板１０２に対して向かう方向及び離れる方向）に移動させることができる。しかしながら、第２の調整スライド１９０は、この向きに限定されるものではないことを理解されたい。さらなる例では、第２の調整スライド１９０は、第２の支持構造１８０に対して一定の角度で取り付けることができ、従って、第２の調整スライド１９０は、第２の支持構造１８０に対して一定の角度で（例えば、非水平方向に）移動することができる。
【００５３】
位置決め構造１８４は、第２のロック機構１８８をさらに備え得る。第２のロック機構１８８は、その構造及び機能を上記説明された第２のロック機構１２４と同一にすることができる。第２のロック機構１８８は、位置決め構造１８４に取り付けることができ、第２の調整スライド１９０の選択的な移動を可能にすることができる。第２のロック機構１８８は、ロック構造と同様に機能することができ、第２の調整スライド１９０を第１の調整スライド１８２に対して所定の位置に選択的にロックすることができる。例えば、第２のロック機構１８８がロック位置に移動すると、第２の調整スライド１９０は、第１の調整スライド１８２に対する移動が限定される。第２のロック機構１８８は、非ロック位置に選択的に移動することができ、この位置では、第２の調整スライド１９０は、位置決め構造１８４及び第１の調整スライド１８２対して自由に移動することができる。第２のロック機構１８８は、図２に示されている構造に特に限定されるものではなく、さらなる例では、第２の調整スライド１９０を第１の調整スライド１８２に対して選択的にロックする様々な構造及び／又は装置を含み得る。例えば、第２のロック機構１８８は、ほぼ全ての種類の機械的ファスナ、例えば、ナットとボルト、ねじ接続などを含み得る。
【００５４】
第２のロック機構１８８は、通常は図２では見えないため、この図面では点線で示されている。具体的には、第２のロック機構１８８は、位置決め構造１８４の下側に配置することができる。しかしながら、第２のロック機構１８８は、このような位置に限定されるものではなく、さらなる例では、第２のロック機構１２４が第１の保持構造１１２内に配置される同様の位置で、位置決め構造１８４の下側に配置することができる。
【００５５】
第２の保持構造１１４は、第３のガイド構造１９２をさらに備え得る。第３のガイド構造１９２は、その構造及び機能を上記説明された第１のガイド構造１４０と同様又は同一とすることができる。例えば、第３のガイド構造１９２は、第２の調整スライド１９０に取り付けることができる。第３のガイド構造１９２は、様々な方法、例えば、機械的ファスナ（例えば、ナット、ボルト、ねじなど）、溶接、又は接着剤などで取り付けることができる。第３のガイド構造１９２は、誘導部材１１５の第２の端部１１７を支持して誘導するように機能することができ、従って、誘導部材１１５は、運搬経路１０３に隣接して延在するように維持される。第３のガイド構造１９２は、図示されているように、固定（例えば、静止）部材を備え得る。しかしながら、さらなる例では、第３のガイド構造１９２は、可動部材、例えば、ローラ又は円形ローラなども備え得る。上記説明された第１のガイド構造１４０及び第２のガイド構造１５０と同様に、第３のガイド構造１９２は、内部に誘導部材１１５を受容することができる整合溝をさらに備え得る。誘導部材１１５は、第３のガイド構造１９２の整合溝から外側に延出し得る。
【００５６】
第２の保持構造１１４は、調整装置２００をさらに備え得る。調整装置２００は、誘導部材１１５の第１の端部１１６の反対側の第２の端部１１７を支持することができる。以下に詳細に説明されるように、調整装置２００は、第１の保持構造１１２と第２の保持構造１１４との間に延在する誘導部材１１５の長さを選択的に調整することができる。
【００５７】
調整装置２００は、第２の調整スライド１９０に取り付けることができる。一例では、調整装置２００は、この調整装置２００を第２の調整スライド１９０に取り付けるための取り付け構造２０２を備え得る。取り付け構造２０２は、限定されるものではないが、溶接、接着、又は機械的ファスナ（例えば、ナット、ボルト、ねじなど）などを含む様々な方法で第２の調整スライド１９０に取り付けることができる概ね平面の表面、例えば、プレートなどを備え得る。さらなる例では、取り付け構造２０２は、第２の調整スライド１９０に取り付けることに特に限定されるものではなく、他の同様の固定構造に取り付けることもできる。
【００５８】
調整装置２００は、ベース２０４をさらに備え得る。ベース２０４は、取り付け構造２０２に取り付けることができ、この取り付け構造２０２から離れる方向に延在し得る。ベース２０４は、様々な方法、例えば、溶接、接着、又は機械的ファスナ（例えば、ナット、ボルト、ねじなど）などで取り付けることができる。さらなる例では、ベース２０４は、取り付け構造２０２に対して運動可能（例えば、旋回可能）とすることができる。
【００５９】
調整装置２００は、歯車２０６をさらに備え得る。歯車２０６は、ベース２０４に対して移動可能に取り付けることができる。一例では、歯車２０６は、歯車の中心を貫通して延在する軸２０８を備え得る。軸２０８は、その相反する端部をベース２０４に移動可能に取り付けることができる。従って、歯車２０６及び軸２０８は共に、ベース２０４に対して回転することができる。運転する際は、誘導部材１１５の第２の端部１１７を、軸２０８に取り付けることができる。歯車２０６は、時計回り又は反時計回りの方向に回転することができる。従って、歯車２０６及び軸２０８を回転させて、誘導部材１１５を軸２０８の周りに巻き付けることができる。軸２０８の周りに巻き付けることにより、誘導部材１１５がピンと張り、従って、第１の保持構造１１２から第２の保持構造１１４まで延在する誘導部材１１５の全長が短くなる。
【００６０】
ここで、ガラス板誘導装置１００の動作を簡単に説明する。ガラス板１０２は、運搬経路１０３に沿って移動することができる。ガラス板１０２は、特定の厚さ及び硬さを有し得る。ガラス板の厚さ及び硬さによって、誘導部材１１５の張力を調整することができる。具体的には、歯車２０６及び軸２０８を回転させて誘導部材１１５を巻く（例えば、張る）又は巻き戻す（例えば、緩める）ことができる。従って、誘導部材１１５は、ガラス板１０２の厚さ及び硬さに基づいて張りを強めたり弱めたりすることができる。一例では、ガラス板１０２が比較的薄く、かつ／又は比較的硬くない場合は、誘導部材１１５の張りを弱くする。別の例では、ガラス板１０２が比較的厚く、かつ／又は比較的硬い場合は、誘導部材１１５の張りを強める。誘導部材１１５で設定される適切な張力では、ガラス板１０２は、誘導部材１１５に隣接した運搬経路に沿って移動することができる。誘導部材１１５は、ガラス板１０２を運搬経路１０３内に維持することができ、かつガラス板１０２が運搬経路１０３に対して直交する方向、例えば、ガラス板誘導装置１００に対して向かう方向及び離れる方向に移動するのを制限する。
【００６１】
ここで図３を参照すると、ガラス板誘導装置３００の第２の例が示されている。ガラス板誘導装置３００は、図１及び図２を参照して上記説明されたガラス板誘導装置１００と同様又は同一の環境で使用することができる。実際、ガラス板誘導装置３００は、ガラス板１０２の各側に配置される１つ以上の保持構造を備え得る。
【００６２】
ガラス板誘導装置３００は、第１の保持構造１１２を備え得る。第１の保持構造１１２は、その構造を、図１及び図２を参照して図示され説明された第１の保持構造１１２と同一とすることができる。実際、図３に示されている第１の保持構造１１２は、第１の支持構造１１９、第１の調整スライド１２０、第２の調整スライド１３０、第１のガイド構造１４０、第２のガイド構造１５０、及び引張部材１６０を備えている。同様に、第１の保持構造１１２もまた、誘導部材１１５の第１の端部１１６を支持する。
【００６３】
ガラス板誘導装置３００は、第２の保持構造３１４をさらに備え得る。第２の保持構造３１４は、第１の保持構造１１２から離間して、運搬経路１０３に対して配置されている。以下により詳細に説明されるように、第２の保持構造３１４は、ガラス板１０２が沿って移動する運搬経路１０３の全長を長くする延長構造３２０を備え得る。
【００６４】
第２の保持構造３１４は、第２の支持構造１８０に取り付けることができる。第２の支持構造１８０は、その構造及び機能が、第２の保持構造１１４に関して上記説明された構造及び機能と同一である。例えば、第２の支持構造１８０は、概ね垂直方向に延在する概ね細長いレールを含む。第２の支持構造１８０は、図示されている細長いレールに限定されるものではなく、第２の保持構造３１４を支持できる様々な構造を含み得る。第２の支持構造１８０は、スタンドアロン構造として示されているが、このような構成に限定されるものではなく、移動アンビル装置、垂直ビーズスコアなどを含むが、これらに限定されないガラス板の製造に関わる様々な構造にその一部として取り付ける、かつ／又は含めることができる。
【００６５】
第２の保持構造３１４は、第１の調整スライド１８２をさらに備え得る。第１の調整スライド１８２は、その構造及び機能が、第２の保持構造１１４に関して上記説明された構造及び機能と同一である。例えば、第１の調整スライド１８２は、第２の支持構造１８０に取り付けることができる。第１の調整スライド１８２は、ガラス板１０２の平面に概ね平行、かつ運搬経路１０３に対して直交する方向に沿って延在し得る。第１の調整スライド１８２は、第２の支持構造１８０に固着することができる。
【００６６】
第２の保持構造３１４は、位置決め構造１８４をさらに備え得る。位置決め構造１８４は、その構造及び機能が、第２の保持構造１１４に関して上記説明された構造及び機能と同一である。例えば、位置決め構造１８４は、第１の調整スライド１８２に移動可能に取り付けることができる。具体的には、位置決め構造１８４は、第１の調整スライド１８２に沿って平行移動することによって第２の支持構造１８０に対して移動することができる。第１の調整スライド１８２が概ね垂直方向に延在するため、位置決め構造１８４は、第１の調整スライド１８２に沿って概ね垂直（例えば、上下）に移動する。
【００６７】
位置決め構造１８４は、第１のロック機構１８６をさらに備え得る。第１のロック機構１８６は、その構造及び機能が、第２の保持構造１１４に関して上記説明された構造及び機能と同一である。例えば、第１のロック機構１８６は、位置決め構造１８４に取り付けることができ、位置決め構造１８４の第１の調整スライド１８２に対する選択的な移動を可能にすることができる。具体的には、第１のロック機構１８６は、位置決め構造１８４を第１の調整スライド１８２に対して所定の位置に選択的にロックすることができる。第１のロック機構１８６がロック位置に移動すると、位置決め構造１８４は、第１の調整スライド１８２に対する移動が限定される。第１のロック機構１８６は、非ロック位置に選択的に移動させることができ、この位置では、位置決め構造１８４は、第１の調整スライド１８２に対して自由に移動することができる。
【００６８】
第２の保持構造３１４は、第２の調整スライド１９０をさらに備え得る。第２の調整スライド１９０は、その構造及び機能が、第２の保持構造１１４に関して上記説明された構造及び機能と同一である。例えば、第２の調整スライド１９０は、位置決め構造１８４に取り付けることができる。具体的には、第２の調整スライド１９０は、位置決め構造１８４に移動可能に取り付けることができ、従って、第２の調整スライド１９０は、位置決め構造１８４に対して移動することができる。第２の調整スライド１９０は、概ね長手方向の軸に沿って平行移動することによって移動することができる。
【００６９】
第２の調整スライド１９０は、第１の調整スライド１８２とは異なる方向に沿って延在するように配置することができる。一例では、第２の調整スライド１９０は、水平方向において第２の支持構造１８０に対して直交する方向に延在し得る。具体的には、第２の調整スライド１９０は、ガラス板１０２の平面及び運搬経路１０３に対して概ね直交する方向に沿って延在し得る。従って、この例では、第２の調整スライド１９０は、第２の保持構造３１４を水平方向（例えば、ガラス板１０２に対して向かう方向及び離れる方向）に移動させることができる。しかしながら、第２の調整スライド１９０は、この向きに限定されるものではないことを理解されたい。さらなる例では、第２の調整スライド１９０は、第２の支持構造１８０に対して一定の角度で取り付けることができ、従って、第２の調整スライド１９０は、第２の支持構造１８０に対して一定の角度で（例えば、非水平方向に）移動することができる。
【００７０】
位置決め構造１８４は、第２のロック機構１８８をさらに備え得る。第２のロック機構１８８は、その構造及び機能が、第２の保持構造１１４に関して上記説明された構造及び機能と同一である。第２のロック機構１８８は、位置決め構造１８４に取り付けることができ、第２の調整スライド１９０を第１の調整スライド１８２に対して所定の位置に選択的にロックすることによって第２の調整スライド１９０の選択的な移動を可能にすることができる。一例では、第２のロック機構１８８がロック位置に移動すると、第２の調整スライド１９０は、第１の調整スライド１８２に対する移動が限定される。第２のロック機構１８８は、非ロック位置に選択的に移動することができ、この位置では、第２の調整スライド１９０は、位置決め構造１８４及び第１の調整スライド１８２対して自由に移動することができる。
【００７１】
第２の保持構造３１４は、第３のガイド構造１９２（例えば、図４及び図５に示されている）をさらに備え得る。第３のガイド構造１９２は、その構造及び機能が、第２の保持構造１１４に関して上記説明された構造及び機能と同一である。例えば、第３のガイド構造１９２は、第２の調整スライド１９０に取り付けることができる。第３のガイド構造１９２は、様々な方法、例えば、機械的ファスナ（例えば、ナット、ボルト、ねじなど）、溶接、又は接着剤などで取り付けることができる。第３のガイド構造１９２は、誘導部材１１５の第２の端部１１７を支持して誘導するように機能することができ、従って、誘導部材１１５は、運搬経路１０３に隣接して延在するように維持される。第３のガイド構造１９２は、固定（例えば、静止）部材又は可動部材、例えば、ローラ又は円形ローラなども備え得る。
【００７２】
第２の保持構造３１４は、調整装置２００をさらに備え得る。調整装置２００は、その構造及び機能が、第２の保持構造１１４に関して上記説明された構造及び機能と同一である。調整装置２００は、誘導部材１１５の第１の端部１１６の反対側の第２の端部１１７を支持することができる。調整装置２００は、第２の調整スライド１９０に取り付けることができる。一例では、調整装置２００は、この調整装置２００を第２の調整スライド１９０に取り付けるための取り付け構造２０２を備え得る。取り付け構造２０２は、限定されるものではないが、溶接、接着、又は機械的ファスナ（ナット、ボルト、ねじなど）などを含む様々な方法で第２の調整スライド１９０に取り付けることができる。
【００７３】
調整装置２００は、ベース２０４をさらに備え得る。ベース２０４は、その構造及び機能が、第２の保持構造１１４に関して上記説明された構造及び機能と同一である。ベース２０４は、様々な方法、例えば、溶接、接着、又は機械的ファスナ（ナット、ボルト、ねじなど）などで取り付けることができる。さらなる例では、ベース２０４は、取り付け構造２０２に対して運動可能（例えば、旋回可能）とすることができる。
【００７４】
調整装置２００は、歯車２０６及び軸２０８をさらに備え得る。歯車２０６及び軸２０８は、その構造及び機能が、第２の保持構造１１４に関して上記説明された構造及び機能と同一である。歯車２０６及び軸２０８は、ベース２０４に対して移動可能に取り付けることができる。一例では、軸２０８は、歯車２０６の中心を貫通して延在する。軸２０８は、その相反する端部をベース２０４に移動可能に取り付けることができる。従って、歯車２０６及び軸２０８は共に、ベース２０４に対して回転することができる。運転する際は、誘導部材１１５の第２の端部１１７を、軸２０８に取り付けることができる。歯車２０６は、時計回り又は反時計回りの方向に回転することができる。従って、歯車２０６及び軸２０８を回転させて、誘導部材１１５を軸２０８の周りに巻き付けることができる。軸の周りに巻き付けることにより、誘導部材１１５がピンと張り、従って、第１の保持構造１１２から第２の保持構造１１４まで延在する誘導部材１１５の全長が短くなる。
【００７５】
第２の保持構造３１４は、延長構造３２０をさらに備える。延長構造３２０は、第１の保持構造１１２及び第２の保持構造３１４から下流の位置で、運搬経路１０３に沿って延在し得る。延長構造３２０は、この延長構造３２０が、運搬経路１０３に隣接して延在するガラス板誘導装置３００の全長を長くすることができるように、第３のガイド構造１９２に取り付けることができる。
【００７６】
延長構造３２０は、第２の誘導部材３２２を備え得る。第２の誘導部材３２２は、延長構造３２０の長さに沿って延在し得る。さらに、第２の誘導部材３２２は、ガラス板１０２が沿って移動する運搬経路１０３に隣接して延在し得る。第２の誘導部材３２２は、誘導部材１１５の下流の位置に配置することができる。さらに、第２の誘導部材３２２は、誘導部材１１５に対して概ね連続とすることができる。従って、ガラス板１０２が運搬経路１０３に沿って移動すると、ガラス板１０２は、第２の誘導部材３２２に接触する前に誘導部材１１５に接触する。
【００７７】
第２の誘導部材３２２は、誘導部材１１５と同じ又は同一の構造を有し得る。例えば、第２の誘導部材３２２は、ワイヤ、ケーブルなどを含み得る。第２の誘導部材３２２は、ガラス板１０２との比較的小さい接触領域を有し得る。特定の適用例によっては、第２の誘導部材３２２は、金属又は非金属材料、例えば、ステンレス鋼などを含み得る。さらなる例では、第２の誘導部材３２２は、比較的高温の適用例に使用される耐熱材料を含み得る。同様に、第２の誘導部材３２２は、この第２の誘導部材３２２とガラス板１０２との間の摩擦を増加又は減少させるために１つ以上のコーティングを含み得る。第２の誘導部材３２２は、様々な断面形状、例えば、円形、卵形、正方形などを有し得る。
【００７８】
延長部材３２０は、延長アーム３２４をさらに備え得る。延長アーム３２４は、第１の端部３２６と反対の第２の端部３２８との間に長手方向軸に沿って延在する概ね細長い構造である。延長アーム３２４は、運搬経路１０３に隣接して延在して、第２の誘導部材が運搬経路１０３に沿って延在するようにこの第２の誘導部材３２２を支持することができる。延長アーム３２４は、様々なサイズ及び形状を有し得るが、図３に示されている例に限定されるものではない。例えば、延長アーム３２４は、図示されているよりも長くても短くても良い。同様に、延長アーム３２４は、この延長アーム３２４を選択的に長く又は短くできるように長さ調整装置を備え得る。実際、図３に示されている延長アーム３２４は、この延長アーム３２４の可能な一例のみを含み、様々な異なる構造が考えられる。
【００７９】
ここで図４を参照して、延長アーム３２４の第１の端部３２６をより詳細に説明することができる。第１の端部３２６は、第１のガイド構造３４０に取り付けることができる。第１の端部３２６は、様々な方法、例えば、機械的ファスナ、接着剤、又は溶接などで第１のガイド構造３４０に取り付けることができる。
【００８０】
第１のガイド構造３４０は、平面に沿って延在して、第２の誘導部材３２２を支持することができる。一例では、第１のガイド構造３４０は、第２の誘導部材３２２を第１のガイド構造３４０の周りに巻き付けることができるように丸い形状を有する。図示されている例では、第２の誘導部材３２２は、１８０度の曲がり部を形成することができる。第１のガイド構造３４０は、内部に第２の誘導部材３２２を受容することができる整合溝を備え得る。第２の誘導部材３２２は、第１のガイド構造３４０から外側に延出できるように、整合溝よりも広い断面幅を有することができる。
【００８１】
第１のガイド構造３４０は、第３のガイド構造１９２に取り付けることができる。第１のガイド構造３４０は、様々な方法で取り付けることができる。例えば、一例では、第１のガイド構造３４０は、取り付けピン３４２によって取り付けることができる。この例では、取り付けピン３４２は、第１のガイド構造３４０の開口及び第３のガイド構造１９２の対応する開口を貫通して延在する。さらなる支持を付与するために、支持部材３４４を設けて第１のガイド構造３４０及び延長アーム３２４の両方を支持することもできる。支持部材３４４は、第１のガイド構造３４０の開口及び第３のガイド構造１９２の開口に整合する開口を備え得る。従って、取り付けピン３４２は、第１のガイド構造３４０、第３のガイド構造１９２、及び支持部材３４４のそれぞれの開口を貫通して延在し得る。加えて、取り付けピン３４２は、第１のガイド構造３４０、従って、延長構造３２０を第３のガイド構造１９２から取り外しできるように選択的に取り除くことができる。
【００８２】
第１のガイド構造３４０を第３のガイド構造１９２に取り付けるための上記説明された手段は、取り付けのための単なる１つの可能な手段である。実際、第１のガイド構造３４０及び第３のガイド構造１９２は、取り外し可能な取り付け又は取り外しできない取り付けを含む、様々な方法で取り付けることができる。さらなる例では、様々な異なる種類の機械的ファスナ又は接着剤などを取り付けピン３４２の代わりに使用して、第１のガイド構造３４０を第３のガイド構造１９２に取り付けることができる。従って、第１のガイド構造３４０は、取り付けピン３４２を取り付けの手段として備えることに限定されるものではない。
【００８３】
ここで図５を参照すると、延長構造３２０は、引張部材３５０をさらに備え得る。引張部材３５０は、運搬経路１０３の反対である延長構造３２０の側に配置されている。一例では、引張部材３５０は、延長構造３２０に対して平行な方向に延在し得るが、他の向きも考えられる。引張部材３５０は、その構造及び機能を、上記説明され図２に示されている引張部材１６０と同一とすることができる。例えば、引張部材３５０は、第１の端部３５２と反対の第２の端部３５４との間に概ね直線の軸に沿って延在し得る。引張部材３５０は、付勢部材、例えば、ばねを備え得る。引張部材３５０の第２の端部３５６は、固定構造３５８（図６に図示）に取り付けることができる。固定構造３５８は、一例では、延長アーム３２４に取り付けることができる。他の例では、固定構造３５８は、引張部材３５０の第２の端部３５６を取り付けることができるほぼ不動の構造を備え得る。引張部材３５０の第１の端部３５２は、第２の誘導部材３２２に取り付けることができる。従って、柔軟性にすることにより、引張部材３５０の長さを長く又は短くすることができる。引張部材３５０は、第２の誘導部材３２２を張った状態に維持することができるため、この第２の誘導部材３２２の長さが変化しても、この第２の誘導部材３２２を張った状態に維持することができる。
【００８４】
ここで図６を参照すると、延長アーム３２４の第２の端部３２８をよりはっきりと見ることができる。延長アーム３２４は、その第２の端部３２８を第２のガイド構造３６０に取り付けることができる。延長アーム３２４は、機械的ファスナ又は接着剤などを含む様々な方法で第２のガイド構造３６０に取り付けることができる。第２のガイド構造３６０は、第２の誘導部材３２２を支持して誘導することができる。第２のガイド構造３６０は、図示されているように、固定（例えば、静止）部材を備え得る。しかしながら、さらなる例では、第２のガイド構造３６０は、可動部材、例えば、ローラなども備え得る。一例では、第２のガイド構造３６０は、第２の誘導部材３２２を巻き付けることができる実質的に１８０度の曲がり部を形成することができる。しかしながら、さらなる例では、第２のガイド構造３６０は、この１８０度の曲がり部に限定されるものではない。第２のガイド構造３６０は、内部に第２の誘導部材３２２を受容することができる整合溝をさらに備え得る。第２の誘導部材３２２は、第２のガイド構造３６０の整合溝から外側に延出し得る。
【００８５】
延長構造３２０は、調整装置３６２をさらに備え得る。この調整装置は、その構造を、図２を参照して上記説明された調整装置２００と同一とすることができる。例えば、調整装置３６２は、引張部材３５０とは反対の第２の誘導部材３２２の端部を支持することができる。調整装置３６２は、引張部材３５０と調整装置３６２との間の第２の誘導部材３２２の長さを選択的に調整することができる。
【００８６】
調整装置３６２は、ベース３６４を備え得る。ベース３６４は、固定構造３５８に取り付けることができる。ベース３６４は、様々な方法、例えば、機械的ファスナ又は接着剤などで取り付けることができる。ベース３６４は、固定構造３５８に移動しないように取り付けることができる。調整装置３６２は、歯車３６６及び軸３６８をさらに備え得る。歯車３６６は、ベース３６４に対して移動可能に取り付けることができる。一例では、歯車３６６は、この歯車３６６の中心を貫通して延在する軸３６８を備え得る。軸３６８は、その両端部をベース３６４に移動可能に取り付けることができる。従って、歯車３６６及び軸３６８は共に、ベース３６４に対して回転することができる。運転する際は、誘導部材３２２を軸３６８に取り付けることができる。具体的には、第２の誘導部材３２２の端部を軸３６８の周りに巻き付けることができる。次いで、歯車３６６及び軸３６８が回転して、第２の誘導部材３２２が軸３６８の周りにさらに巻き付けられるように、歯車３６６を時計回り又は反時計回りの方向に回転させることができる。軸３６８の周りに巻き付けることにより、第２の誘導部材３２２がピンと張り、従って、引張部材３５０から調整装置３６２まで延在する第２の誘導部材３２２の全長が短くなる。
【００８７】
ここで、ガラス板誘導装置３００の動作を以下に簡単に説明する。ガラス板１０２は、運搬経路１０３に沿って移動することができる。ガラス板１０２は、まず誘導部材１１５によって誘導することができる。誘導部材１１５の下流では、ガラス板１０２を、第２の誘導部材３２２によって誘導することができる。下流の位置で第３のガイド構造１９２の周りに巻き付けられた誘導部材１１５及び上流の位置で第１のガイド構造３４０の周りに巻き付けられた第２の誘導部材３２２により、ガラス板１０２は、誘導部材１１５又は第２の誘導部材３２２のいずれかによって常に連続的に誘導される。従って、２つの別個の誘導部材（例えば、誘導部材１１５、第２の誘導部材３２２）が使用されており、ガラス板１０２は、運搬経路１０３に沿って移動するときは常に少なくとも１つの誘導部材に機能的に接触する。
【００８８】
ここで図７を参照すると、ガラス板誘導装置４００の第３の例が示されている。ガラス板誘導装置４００は、図１及び図２を参照して上記説明されたガラス板誘導装置１００と同様又は同一の環境で使用することができる。実際、ガラス板誘導装置４００は、運搬経路１０３に沿ってガラス板１０２を誘導するための誘導部材１１５を備え得る。
【００８９】
ガラス板誘導装置４００は、第１の保持構造４０２を備え得る。第１の保持構造４０２は、誘導部材１１５の第１の端部１１６を支持することができる。第１の保持構造４０２は、概ね円柱の形状を有するとして示されているが、様々な形状が考えられる。一例では、第１の保持構造４０２に、第１の保持構造４０２の周りに巻き付けられている誘導部材１１５の第１の端部１１６を取り付けることができる。第１の保持構造４０２は、例えば、回転可能にすることによって運動可能にすることができる。従って、第１の保持構造４０２の回転により、誘導部材１１５を第１の保持構造４０２に対して巻き付ける又は巻き戻すことができる。一例では、第１の保持構造４０２を巻き戻し方向４０３（例えば、反時計回りの方向）に巻き戻して、誘導部材１１５を第１の保持構造４０２から巻き戻すことができる。しかしながら、さらなる例では、第１の保持構造４０２を反対方向（例えば、反時計回りの方向）に回転させて、誘導部材１１５を第１の保持構造４０２から巻き戻すことができる。第１の保持構造４０２は、この第１の保持構造４０２を作動させるために駆動ユニット、例えば、モータなどをさらに備え得る。
【００９０】
ガラス板誘導装置４００は、第２の保持構造４０４をさらに備え得る。第２の保持構造４０４は、第１の保持構造４０２から離間させて、運搬経路１０３に対して配置することができる。具体的には、第２の保持構造４０４は、運搬経路１０３に隣接して配置することができる。第２の保持構造４０４は、誘導部材１１５の反対の第２の端部１１７を支持することができる。第２の保持構造４０４は、概ね円柱の形状を有するとして示されているが、様々な形状が考えられる。誘導部材１１５は、第２の保持構造４０４の周りに巻き付けることができる。第２の保持構造４０４は、例えば、回転可能にすることによって運動可能にすることができる。従って、第２の保持構造４０４の回転により、誘導部材１１５を第２の保持構造４０４に巻き付けることができる。一例では、第２の保持構造４０４を巻き戻し方向４０５（例えば、時計回りの方向）に巻き付けて、誘導部材１１５を第２の保持構造４０４に巻き付けることができる。しかしながら、第１の保持構造４０２と同様に、さらなる例では、第２の保持構造４０４を反対方向（例えば、反時計回りの方向）に回転させて、誘導部材１１５を第２の保持構造４０４に巻き付けることができる。第２の保持構造４０４は、この第２の保持構造４０４を作動させるために駆動ユニット、例えば、モータなどをさらに備え得る。
【００９１】
ガラス板誘導装置４００は、１つ以上のガイド構造をさらに備え得る。図示されている例では、ガラス板誘導装置４００は、第１のガイド構造４０６及び第２のガイド構造４０８を備える。しかしながら、さらなる例では、ガラス板誘導装置４００は、３つ以上の図示されているガイド構造又は唯１つのガイド構造を備え得ることを理解されたい。さらには、ガラス板誘導装置４００は、誘導部材１１５が、第１の保持構造４０２と第２の保持構造４０４との間に一切の構造に接触せずに延在するように、一切のガイド構造を備えないようにしても良い。
【００９２】
第１のガイド構造４０６及び第２のガイド構造４０８は、サイズ及び形状を同様又は同一とすることができる。例えば、ガイド構造４０６、４０８は、概ね円形の形状とすることができる。ガイド構造４０６、４０８は、互いに離間させて、運搬経路１０３に対して配置することができる。一例では、ガイド構造４０６、４０８は、運搬経路１０３に隣接して配置することができる。第１のガイド構造４０６は、第１の保持構造４０２に近接して配置することができ、第２のガイド構造４０８は、第２の保持構造４０４に近接して配置することができる。しかしながら、さらなる例では、ガイド構造４０６、４０８は、互いにさらに近接して又はさらに離間して配置することができ、図７に示されている特定の位置に限定されるものではない。
【００９３】
ガイド構造４０６、４０８は、誘導部材１１５を誘導することができる。具体的には、ガイド構造４０６、４０８は、誘導部材１１５が運搬経路１０３に沿って延在するようにこの誘導部材１１５に接触することができる。ガイド構造４０６、４０８は、運動（例えば、回転）することができ、従って、誘導部材１１５が第１の保持構造４０２から第２の保持構造４０４まで移動するときに、ガイド構造４０６、４０８は誘導部材１１５と共に回転することができる。従って、ガイド構造４０６、４０８と誘導部材１１５との間に比較的小さい摩擦が存在し得る。
【００９４】
ここで、ガラス板誘導装置４００の動作を説明することができる。まず、誘導部材１１５を第１の保持構造４０２に巻き付けることができる。誘導部材１１５は、第１の端部１１６を第１の保持構造４０２に取り付け、第２の端部１１７を第２の保持構造４０４に取り付けることができる。誘導部材１１５は、運搬経路１０３に隣接して延在して、第１のガイド構造４０６及び第２のガイド構造４０８によって誘導することができる。ガラス板１０２が運搬経路１０３に沿って移動するときに、ガラス板１０２は、誘導部材１１５に接触し得る。第１の保持構造４０２及び第２の保持構造４０４はそれぞれ、運動（例えば、回転）することができ、これにより、誘導部材１１５を、第１の保持構造４０２から巻き戻し、第１の保持構造４０２と第２の保持構造４０４との間を移動させ、そして第２の保持構造４０４に巻き付けることができる。この運動は、駆動ユニット又はモータなどによって実現することができる。誘導部材１１５は、ガラス板の移動速度に実質的に一致する速度で運動することができる。ガラス体の移動速度は、ガラス板１０２が運搬経路１０３に沿って移動する速度である。従って、実質的に一致する速度を有することにより、ガラス板１０２と誘導部材１１５との間の摩擦が減少する。
【００９５】
ここで図８を参照すると、ガラス板誘導装置５００の第４の例が示されている。ガラス板誘導装置５００は、図１及び図２を参照して上記説明されたガラス板誘導装置１００と同様又は同一の環境で使用することができる。実際、ガラス板誘導装置５００は、ガラス板１０２を運搬経路１０３に沿って誘導するための誘導部材１１５を備え得る。
【００９６】
ガラス板誘導装置５００は、第１の保持構造５０２を備え得る。第１の保持構造５０２は、誘導部材１１５を支持することができる。第１の保持構造５０２は、概ね円柱の形状を有するとして示されているが、様々な形状が考えられる。この例では、誘導部材１１５を第１の保持構造５０２に取り付けなくても良い。代わりに、第１の保持構造５０２は、誘導部材１１５が第１の保持構造５０２に対して移動できるように誘導部材１１５を支持することができる。
【００９７】
第１の保持構造５０２は、例えば、回転可能にすることによって運動可能にすることができる。従って、第１の保持構造５０２の回転は、第１の保持構造５０２の外周に沿った誘導部材１１５の移動を支持することができる。一例では、第１の保持構造５０２は、第１の方向５０３（例えば、時計回りの方向）に回転して誘導部材１１５を移動させることができる。しかしながら、さらなる例では、第１の保持構造５０２は、反対方向（例えば、反時計回りの方向）に回転して誘導部材１１５を反対方向に移動させることができる。第１の保持構造５０２は、この第１の保持構造５０２を駆動させるために駆動ユニット、例えば、モータなどをさらに備え得る。
【００９８】
ガラス板誘導装置５００は、第２の保持構造５０４をさらに備え得る。第２の保持構造５０４は、第１の保持構造５０２から離間させて、運搬経路１０３に対して配置することができる。具体的には、第２の保持構造５０４は、運搬経路１０３に隣接して配置することができる。第２の保持構造５０４は、誘導部材１１５を支持することができる。第２の保持構造５０４は、概ね円柱の形状を有するとして示されているが、様々な形状が考えられる。
【００９９】
第２の保持構造５０４は、例えば、回転可能にすることによって運動可能にすることができる。従って、第２の保持構造５０４の回転により、誘導部材１１５を第２の保持構造５０４に対して移動させることができる。第２の保持構造５０４の回転は、第２の保持構造５０４の外周に沿った誘導部材１１５の移動を支持することができる。一例では、第２の保持構造５０４は、第１の方向５０５（例えば、時計回りの方向）に回転して誘導部材１１５を移動させることができる。しかしながら、第１の保持構造５０２と同様に、さらなる例では、第２の保持構造５０４は、反対方向（例えば、反時計回りの方向）に回転して誘導部材１１５を反対方向に移動させることができる。第２の保持構造５０４は、この第２の保持構造５０４を駆動させるために駆動ユニット、例えば、モータなどをさらに備え得る。
【０１００】
ガラス板誘導装置５００は、１つ以上のガイド構造をさらに備え得る。図示されている例では、ガラス板誘導装置５００は、第１のガイド構造５０６及び第２のガイド構造５０８を備える。ガイド構造５０６、５０８は、その構造及び機能を、図７に示されている例におけるガイド構造４０６、４０８と同一とすることができる。例えば、ガイド構造５０６、５０８は、誘導部材１１５を運搬経路１０３に沿って支持して誘導することができる。
【０１０１】
ここで、ガラス板誘導装置５００の動作を説明することができる。誘導部材１１５は、無端経路に沿って延在する無端誘導部材を含み得る。例えば、図示されているように、無端誘導部材１１５は、端部を有していないループ、又は端部が互いに連結されて無端誘導部材１１５を形成するループを含み得る。このような例では、無端誘導部材１１５の少なくとも一部は、運搬経路１０３に隣接して延在して、任意選択の第１のガイド構造５０６及び任意選択の第２のガイド構造５０８によって誘導することができる。ガラス板１０２は、運搬経路１０３に沿って移動するときに誘導部材１１５に接触し得る。第１の保持構造５０２及び第２の保持構造５０４はそれぞれ、運動（例えば、回転）することができ、これにより、誘導部材１１５を運搬経路１０３に沿って移動させることができる。この運動は、駆動ユニット又はモータなどによって実現することができる。誘導部材１１５は、ガラス板の移動速度（例えば、ガラス板１０２が運搬経路１０３に沿って移動する速度）に実質的に一致する速度で運動することができる。従って、実質的に一致する速度を有することにより、ガラス板１０２と誘導部材１１５との間の摩擦が減少する。この例では、誘導部材１１５が連続ループ形状を有するため、保持構造５０２、５０４は、巻き直し又は巻き取りなどをしなくても、連続的に回転することができる。
【０１０２】
従って、本開示の態様の例のガラス板誘導装置（例えば、図７及び図８）に関連した方法では、運搬経路１０３に沿って延在する誘導部材１１５を用意することができる。例えば、図７及び図８に示されているように、誘導部材１１５は、運搬経路１０３に沿って延在する長さを有する。この方法では、誘導部材１１５の第１の部分を保持する第１の保持構造４０２、５０２及び誘導部材１１５の第２の部分を保持する第２の保持構造４０４、５０４をさらに用意することができる。第１及び第２の保持構造は、誘導部材１１５の長さが運搬経路１０３に隣接した第１の保持構造と第２の保持構造との間に跨るように、誘導部材１１５を保持することができる。例えば、図７は、第１の保持構造４０２から巻き戻される第１の端部１１６及び第２の保持構造４０４に巻き付けられる第２の端部１１７を含む誘導部材１１５を例示している。別の例では、図８に示されているように、誘導部材１１５は、第１及び第２の保持構造５０２、５０４の周りのループ経路を移動する無端誘導部材を含み得る。
【０１０３】
図７及び図８に関連した方法は、誘導部材１１５の長さ及びガラス板を運搬経路１０３の共通の方向に移動させるステップも含むことができ、誘導部材の長さが、ガラス板１０２を運搬経路１０３に沿って誘導する。図７及び図８に示されているように、一例では、誘導部材１１５の長さ及びガラス板１０２は共に、運搬経路１０３の共通の方向に沿って実質的に同じ速度で移動する。従って、一部の例では、誘導部材１１５とガラス板１０２との間に実質的に殆ど相対運動が存在しない。誘導部材１１５とガラス板１０２との間の相対運動を減少させる又はなくすことは、運搬中の摩擦を最小限にし、かつ／又はガラス板の損傷を最小限にするのに役立ち得る。さらに、誘導部材は、ガラス板の形状に適合して実質的に一致するように設計することができる。例えば、ガラス板が湾曲構造を有する場合は、ワイヤの柔軟性により、ワイヤが、ガラス板の形状に適合して、ガラス板を運搬経路１０３に沿って誘導することができる。
【０１０４】
ここで、ガラス板１０２を誘導する方法を図９〜図１１を参照して以下に説明する。同様又は同一の方法のステップは、例えば、本出願の全体に亘って説明されたさらなる例を用いて行うことができる。さらに、本発明の方法の例は、ステップを省略及び／又は追加することができる。特段の記載がない限り、ステップは、特定の適用例によっては同時に、連続的に、又は異なる順序で行うことができる。
【０１０５】
図９を参照すると、ガラス板１０２を誘導する方法は、誘導部材１１５の第１の端部１１６を保持する第１の保持構造１１２を用意するステップを含む。さらに、この方法は、第１の保持構造１１２から離間した第２の保持構造１１４を用意するステップを含む。第２の保持構造１１４は、誘導部材１１５の第２の端部１１７を支持する調整装置２００を有する。誘導部材１１５は、ガラス板１０２が沿って移動する運搬経路１０３に隣接して延在する。図９に示されているように、誘導部材１１５は、最初は緩んで張っていない状態にすることができる。
【０１０６】
ここで、図１０を参照すると、ガラス板１０２を誘導する方法は、誘導部材１１５の長さを調整装置２００で調整するステップをさらに含む。図示されているように、調整装置２００の歯車２０６及び軸２０８は、張る方向２１１に回転させることができる。張る方向２１１は、時計回りの方向であるとして示されているが、さらなる例では、張る方向２１１は、代わりに反時計回りの方向にすることもできる。調整装置２００が張る方向２１１に回転することにより、誘導部材１１５の長さ及び張力を変更することができる。具体的には、第１の保持構造１１２と第２の保持構造１１４との間に延在する誘導部材１１５の長さが変化する。この例では、誘導部材１１５の長さが短くなる。実際、図示されているように、誘導部材１１５の弛みが実質的になくなり、従って、誘導部材１１５は、現在はピンと張っている。
【０１０７】
誘導部材１１５の長さは、ガラス板１０２の厚さに基づいて変更（例えば、長く又は短く）することができる。一例では、ガラス板１０２は、比較的薄くすることができ、従って、ガラス板１０２は、より脆弱でより壊れやすくなり得る。結果として、誘導部材１１５を長くしてそれほど張らないようにすることができ、ガラス板１０２の破壊が起こりにくくなる。別の例では、ガラス板１０２は、より壊れにくくするために厚めにすることができる。結果として、誘導部材１１５を短くして、この誘導部材１１５がより張るようにすることができる。従って、誘導部材１１５の長さは、ガラス板１０２の厚さに基づいて調整装置２００で調整することができる。
【０１０８】
ここで、図１１を参照すると、ガラス板１０２を誘導する方法は、ガラス板１０２を運搬経路１０３に沿って移動させるステップをさらに含む。図示されているように、ガラス板１０２は、少なくとも一側が誘導部材１１５に隣接することができる。ガラス板１０２は、運搬経路１０３に対して直交する方向への移動が誘導部材１１５によって限定されている。実際、ガラス板１０２が直交方向に移動すると、ガラス板１０２は、誘導部材１１５に接触して、誘導部材１１５がガラス板１０２を運搬経路１０３内に維持することができる。
【０１０９】
図３〜図６を簡単に参照すると、さらなる方法は、延長部材３２０を第２の保持構造１１４に取り付けるステップを含み得る。具体的には、延長部材３２０を、第２の保持構造１１４の第３のガイド構造１９２に取り付けることができる。従って、図６に示されているように、延長部材３２０が運搬経路３２０に隣接して延在するように、この延長部材３２０を運搬経路１０３に対して配置することができる。
【０１１０】
この方法は、第２の誘導部材３２２を延長構造３２０で支持するステップをさらに含む。図示されているように、第２の誘導部材３２２は、その第１の端部が引張部材３５０によって支持されている。第２の誘導部材３２２は、その反対の第２の端部が調整装置３６２によって支持されている。従って、第２の誘導部材３２２は、延長構造３２０によって支持され、ガラス板１０２が沿って移動する運搬経路１０３に隣接して延在し得る。
【０１１１】
この方法は、第２の誘導部材３２２の長さを調整するステップをさらに含む。図９〜図１１を参照して上記説明された要領と同様の要領で、第２の誘導部材３２２の長さを調整装置３６２で調整することができる。具体的には、歯車３６６及び軸３６８を回転させることができ、従って、第２の誘導部材３２２を軸３６８の周りに巻き付けることができる。この巻き付けにより、第２の誘導部材３２２の長さを短くすることができる、又は逆方向に巻き戻すと、第２の誘導部材３２２の長さを長くすることができる。従って、第２の誘導部材３２２の長さを、ガラス板１０２の厚さに基づいて調整することができる。
【０１１２】
本開示のガラス板を誘導する方法は、様々な環境で使用することができる。一例では、本開示の様々な例のいずれかに従ったガラス板を誘導するステップを含むガラス板を製造する方法を提供することができる。本開示の例に従ったガラス板を誘導するステップは、ガラス板の製造方法におけるガラス板の効果的な移送を促進することができる。
【０１１３】
本発明は、上記説明された実施形態の例を参照して説明された。本明細書を読んで理解すれば、読者は、改良及び変更に想到するであろう。本発明の１つ以上の態様を含む実施形態の例は、このような改良及び変更が添付の特許請求の範囲内であれば、全てのこのような改良及び変更を含むものとする。
【図１】
0006031193.tif 000002
【図２】
0006031193.tif 000003
【図３】
0006031193.tif 000004
【図４】
0006031193.tif 000005
【図５】
0006031193.tif 000006
【図６】
0006031193.tif 000007
【図７】
0006031193.tif 000008
【図８】
0006031193.tif 000009
【図９】
0006031193.tif 000010
【図１０】
0006031193.tif 000011
【図１１】
0006031193.tif 000012